(57)【特許請求の範囲】
【請求項１】
無線リソース管理測定方法であって、
ネットワークデバイスによって送信された指示情報を端末デバイスによって受信するステップであって、前記指示情報が、無認可キャリアの受信信号強度指標（RSSI）測定を実行するために使用される時間周波数リソースを示し、前記指示情報は、RSSI測定時間ウィンドウに関する情報およびRSSI測定粒度に関する情報を含む、ステップと、
前記端末デバイスによって、前記時間周波数リソースで前記無認可キャリアの前記RSSI測定を実行して、前記RSSI測定時間ウィンドウおよび前記RSSI測定粒度に基づくRSSI測定結果を取得するステップと、
前記端末デバイスによって、前記RSSI測定結果を前記ネットワークデバイスに送信するステップと
を含む、方法。
【請求項２】
前記無認可キャリアの前記RSSI測定を実行するために使用される時間リソースが、前記無認可キャリアの発見信号測定タイミング設定（DMTC）とは異なる、請求項1に記載の方法。
【請求項３】
前記端末デバイスによって、前記時間周波数リソースで前記無認可キャリアの前記RSSI測定を実行してRSSI測定結果を取得する前記ステップが、
前記端末デバイスによって、前記時間周波数リソースで検出される、少なくとも1つのソースからの総受信電力を決定するステップであって、前記少なくとも1つのソースが、前記端末デバイスのサービングセルによって前記無認可キャリアで送信される信号を含まない、ステップと、
前記端末デバイスによって、前記総受信電力を処理して前記RSSI測定結果を取得するステップと
を含む、請求項1または2に記載の方法。
【請求項４】
前記指示情報が、RSSI有効測定ウィンドウに関する情報をさらに含み、前記RSSI有効測定ウィンドウが、前記RSSI測定ウィンドウ内で前記RSSI測定を実行するために使用される時間リソースを表現する、請求項1に記載の方法。
【請求項５】
前記指示情報が、無線リソース制御（RRC）シグナリングで搬送される、請求項1から4のいずれか一項に記載の方法。
【請求項６】
前記指示情報が、ダウンリンク制御情報（DCI）で搬送される、請求項1から4のいずれか一項に記載の方法。
【請求項７】
前記端末デバイスによって、前記RSSI測定結果を前記ネットワークデバイスに送信する前記ステップが、
前記端末デバイスによって、認可キャリアまたは前記無認可キャリアで前記RSSI測定結果を前記ネットワークデバイスに送信するステップ
を含む、請求項1から6のいずれか一項に記載の方法。
【請求項８】
無線リソース管理測定方法であって、
ネットワークデバイスによって指示情報を端末デバイスに送信するステップであって、前記指示情報が、無認可キャリアの受信信号強度指標（RSSI）測定を実行するために使用される時間周波数リソースを示し、前記指示情報は、RSSI測定時間ウィンドウに関する情報およびRSSI測定粒度に関する情報を含む、ステップと、
前記端末デバイスによって送信されるRSSI測定結果を前記ネットワークデバイスによって受信するステップであって、前記RSSI測定結果が、前記RSSI測定時間ウィンドウおよび前記RSSI測定粒度に基づく前記RSSI測定を実行することによって前記端末デバイスにより取得される、ステップと、
を含む、方法。
【請求項９】
前記無認可キャリアの前記RSSI測定を実行するために使用される時間リソースが、前記無認可キャリアの発見信号測定タイミング設定（DMTC）とは異なる、請求項8に記載の方法。
【請求項１０】
前記RSSI測定結果が、前記時間周波数リソースで検出される、少なくとも1つのソースからの総受信電力を処理することによって前記端末デバイスにより取得され、前記少なくとも1つのソースが、前記端末デバイスのサービングセルによって前記無認可キャリアで送信される信号を含まない、請求項8または9に記載の方法。
【請求項１１】
前記指示情報が、RSSI有効測定ウィンドウに関する情報をさらに含み、前記RSSI有効測定ウィンドウが、前記RSSI測定ウィンドウ内で前記RSSI測定を実行するために使用される時間リソースを表現する、請求項8に記載の方法。
【請求項１２】
前記指示情報が、無線リソース制御（RRC）シグナリングで搬送される、請求項8から11のいずれか一項に記載の方法。
【請求項１３】
前記指示情報が、ダウンリンク制御情報（DCI）で搬送される、請求項8から11のいずれか一項に記載の方法。
【請求項１４】
前記端末デバイスによって送信されるRSSI測定結果を前記ネットワークデバイスによって受信する前記ステップが、
前記端末デバイスによって認可キャリアまたは前記無認可キャリアで送信される前記RS
SI測定結果を前記ネットワークデバイスによって受信するステップ
を含む、請求項8から13のいずれか一項に記載の方法。
【請求項１５】
無線リソース管理測定装置であって、
ネットワークデバイスによって送信された指示情報を受信する受信ユニットであって、前記指示情報が、無認可キャリアの受信信号強度指標（RSSI）測定を実行するために使用される時間周波数リソースを示し、前記指示情報は、RSSI測定時間ウィンドウに関する情報およびRSSI測定粒度に関する情報を含む、受信ユニットと、
前記受信ユニットによって受信される前記指示情報によって示される前記時間周波数リソースで前記無認可キャリアの前記RSSI測定を実行して、前記RSSI測定時間ウィンドウおよび前記RSSI測定粒度に基づくRSSI測定結果を取得する測定ユニットと、
前記測定ユニットによって取得される前記RSSI測定結果を前記ネットワークデバイスに送信する送信ユニットと
を含む、装置。
【請求項１６】
前記無認可キャリアの前記RSSI測定を実行するために使用される時間リソースが、前記無認可キャリアの発見信号測定タイミング設定（DMTC）とは異なる、請求項15に記載の装置。
【請求項１７】
前記測定ユニットが、
前記時間周波数リソースで検出される、少なくとも1つのソースからの総受信電力を決定することであって、前記少なくとも1つのソースが、前記装置のサービングセルによって前記無認可キャリアで送信される信号を含まない、前記決定することと、
前記総受信電力を処理して前記RSSI測定結果を取得することと
を行う、請求項15または16に記載の装置。
【請求項１８】
前記指示情報が、RSSI測定時間ウィンドウに関する情報および／またはRSSI測定粒度に関する情報を含む、請求項15から17のいずれか一項に記載の装置。
【請求項１９】
前記指示情報が、無線リソース制御（RRC）シグナリングで搬送されるか、または
前記指示情報が、ダウンリンク制御情報（DCI）で搬送される、請求項15から18のいずれか一項に記載の装置。
【請求項２０】
前記送信ユニットが、
認可キャリアまたは前記無認可キャリアで前記RSSI測定結果を前記ネットワークデバイスに送信する、請求項15から19のいずれか一項に記載の装置。
【請求項２１】
無線リソース管理測定装置であって、
指示情報を端末デバイスに送信する送信ユニットであって、前記指示情報が、無認可キャリアの受信信号強度指標（RSSI）測定を実行するために使用される時間周波数リソースを示す、送信ユニットと、
前記端末デバイスによって送信されるRSSI測定結果を受信する受信ユニットであって、前記RSSI測定結果が、前記送信ユニットによって送信される前記指示情報によって示される前記時間周波数リソースの前記RSSI測定を実行することによって前記端末デバイスにより取得される、受信ユニットと
を含む、装置。
【請求項２２】
前記無認可キャリアの前記RSSI測定を実行するために使用される時間リソースが、前記無認可キャリアの発見信号測定タイミング設定（DMTC）とは異なる、請求項21に記載の装置。
【請求項２３】
前記RSSI測定結果が、前記時間周波数リソースで検出される、少なくとも1つのソースからの総受信電力を処理することによって前記端末デバイスにより取得され、前記少なくとも1つのソースが、前記端末デバイスのサービングセルによって前記無認可キャリアで送信される信号を含まない、請求項21または22に記載の装置。
【請求項２４】
前記指示情報が、RSSI測定時間ウィンドウに関する情報および／またはRSSI測定粒度に関する情報を含む、請求項21から23のいずれか一項に記載の装置。
【請求項２５】
前記指示情報が、無線リソース制御（RRC）シグナリングで搬送されるか、または
前記指示情報が、ダウンリンク制御情報（DCI）で搬送される、請求項21から24のいずれか一項に記載の装置。
【請求項２６】
前記受信ユニットが、
前記端末デバイスによって認可キャリアまたは前記無認可キャリアで送信される前記RSSI測定結果を受信する、請求項21から25のいずれか一項に記載の装置。
【請求項２７】
無線リソース管理測定装置であって、
受信機と、
送信機と、
プロセッサと、
プログラムを記憶するメモリと、
バスシステムと
を含み、前記受信機、前記送信機、前記プロセッサ、および前記メモリは前記バスシステムを使用して結合され、前記プログラムは命令を含み、前記命令が前記プロセッサによって実行されるとき、請求項1から7のいずれか一項に記載の方法を前記無線リソース管理測定装置に実行させる、装置。
【請求項２８】
無線リソース管理測定装置であって、
受信機と、
送信機と、
プロセッサと、
プログラムを記憶するメモリと、
バスシステムと
を含み、前記受信機、前記送信機、前記プロセッサ、および前記メモリは前記バスシステムを使用して結合され、前記プログラムは命令を含み、前記命令が前記プロセッサによって実行されるとき、請求項8から14のいずれか一項に記載の方法を前記無線リソース管理測定装置に実行させる、装置。
【請求項２９】
命令を有するコンピュータプログラムであって、前記コンピュータプログラムが電子デバイスにおいて実行されるとき、請求項1から7のいずれか一項に記載の方法を前記電子デバイスに実行させる、コンピュータプログラム。
【請求項３０】
命令を有するコンピュータプログラムであって、前記コンピュータプログラムが電子デバイスにおいて実行されるとき、請求項8から14のいずれか一項に記載の方法を前記電子デバイスに実行させる、コンピュータプログラム。
【発明の詳細な説明】
【技術分野】
【０００１】
本発明の実施形態は、通信分野、より具体的には、無線リソース管理測定方法および装置に関する。
【背景技術】
【０００２】
既存の通信システムにおいて、端末デバイスは、無線リソース管理（Radio Resource Management、RRM）測定を実行し、RRM測定結果をネットワークデバイスに報告し得る。ネットワークデバイスは、端末デバイスによって報告されたRRM測定結果に従って、端末デバイスの現在のチャネル状態を決定し得る。RRM測定結果は、基準信号受信品質（Reference Signal Received Quality、RSRQ）を含み得る。RSRQは、N×基準信号受信電力（Reference Signal Received Power、RSRP）／受信信号強度指標（Received Signal Strength Indicator、RSSI）として規定することができる。Nは、測定が実行されるリソースブロックの数量を表現し、RSRPおよびRSSIは、同じリソースブロック集合の測定によって取得される。RSSIは、端末デバイスによってRSRQを計算するために要求されるパラメータであり、端末デバイスは、RSSIの値をネットワークデバイスに報告しない。
【０００３】
ロング・ターム・エボリューションを使用した認可補助アクセス（licensed-assisted access using Long Term Evolution、LAA-LTE）システムでは、ノードは、リッスン・ビフォア・トーク（Listen Before Talk、LBT）によってチャネルリソースを使用する必要があり、すなわち、ノードは、無認可キャリアリソースを求めて別のノードと競合する必要があり、競合によってノードがリソースを取得した後にのみ、無認可キャリアリソースを使用することができる。加えて、RRM測定は、主に基準信号に基づく。基準信号の送信は、LBTに準拠する必要がある。したがって、ネットワークデバイスは、競合によって送信リソースを取得することができず、端末デバイスは、無認可キャリアのRRM測定を実行することができず、したがって、RRM測定結果（例えば、RSRQ）を報告することができないことがあり得る。結果として、ネットワークデバイスは、端末デバイスの現在のチャネル状態を適時に知ることができず、これは、ネットワークデバイスのスケジューリング性能に影響を与える。
【発明の概要】
【課題を解決するための手段】
【０００４】
本発明の実施形態は、無線リソース管理測定方法および装置を提供する。これは、ネットワークデバイスが無認可キャリアで基準信号を送信することができず、その結果、端末デバイスがRRM測定結果をフィードバックすることができないという従来技術の課題の解決に役立つ。
【０００５】
第1の態様によれば、ネットワークデバイスによって送信された指示情報を端末デバイスによって受信するステップであって、指示情報が、無認可キャリアのRSSI測定を実行するために使用される時間周波数リソースを示す、ステップと、端末デバイスによって、時間周波数リソースで無認可キャリアのRSSI測定を実行してRSSI測定結果を取得するステップと、端末デバイスによって、RSSI測定結果をネットワークデバイスに送信するステップとを含む、RRM測定方法が提供される。
【０００６】
本発明の実施形態で提供される無線リソース管理測定方法によれば、端末デバイスは、無認可キャリアのRSSI測定を実行するために使用される時間周波数リソースを示す、ネットワークデバイスによって送信される指示情報を受信する。端末デバイスは、指示情報によって示される時間周波数リソースのRSSI測定を実行して、RSSI測定結果を取得し、RSSI測定結果をネットワークデバイスに送信する。これは、ネットワークデバイスが無認可キャリアで基準信号を送信することができず、その結果、端末デバイスがRRM測定結果をフィードバックすることができないという従来技術の課題の解決に役立つ。
【０００７】
第1の態様の第1の可能な実装では、無認可キャリアのRSSI測定を実行するために使用される時間周波数リソースは、発見基準信号の測定を実行するために使用される時間周波数リソースとは異なる。
【０００８】
第1の態様の上記の可能な実装を参照して、第1の態様の第2の可能な実装では、無認可キャリアのRSSI測定を実行するために使用される時間リソースは、無認可キャリアのDMTCとは異なる。
【０００９】
この場合、無認可キャリアのRSSI測定を実行するために使用される時間周波数リソースと、無認可キャリアで送信されるDRSの測定を実行するために使用される時間周波数リソースとは別々に構成されてもよく、または無認可キャリアのRSSI測定を実行するために使用される時間リソースと、DMTCとは別々に設定されてもよく、これにより、無認可キャリアのRSSI測定は、必ずしも発見基準信号に依存しない。これは、ネットワークデバイスが無認可キャリアで基準信号を送信することができず、その結果、端末デバイスがRRM測定結果をフィードバックすることができないという従来技術の課題を解決し、それにより、システム性能を改善する。
【００１０】
端末デバイスは、ネットワークデバイスが端末デバイスのサービングセルを使用して時間周波数リソースで信号を送信するかどうかにかかわらず、ネットワークデバイスによって構成される時間周波数リソースのRSSI測定を実行し得る。すなわち、端末デバイスによって実行される無認可キャリアのRSSI測定は、端末デバイスのサービングセルによって送信される信号に依存してもよいし、または端末デバイスのサービングセルによって送信される信号とは独立であってもよい。信号は、基準信号、共通ダウンリンク信号、データパケットなどを含む任意の可能な信号であってもよい。
【００１１】
第1の態様の上記の可能な実装を参照して、第1の態様の第3の可能な実装では、端末デバイスによって時間周波数リソースで無認可キャリアのRSSI測定を実行してRSSI測定結果を取得するステップは、端末デバイスによって、時間周波数リソースで検出される、少なくとも1つのソースからの総受信電力を決定するステップであって、少なくとも1つのソースが、端末デバイスのサービングセルによって無認可キャリアで送信される信号を含まない、ステップと、端末デバイスによって総受信電力を処理してRSSI測定結果を取得するステップとを含む。
【００１２】
少なくとも1つのソースは、端末デバイスのサービングセルを含まなくてもよい。この場合、指示情報は、サービングセルによって送信される信号に依存することなく、無認可キャリアのRSSI測定を実行するように、端末デバイスにさらに命令し得る。
【００１３】
このようにして、端末デバイスは、いずれの場合でも、構成された時間周波数リソースのRSSI測定結果を取得して、RSSI測定結果をネットワークデバイスに報告することができ、それによって、ネットワークデバイスは、ネットワークデバイスが競合によって無認可キャリアの送信リソースを取得することができなくても、端末の周囲のキャリアの状況を取得することができる。このようにして、状況に基づいて端末デバイスの管理およびスケジューリングが実行されることができ、システム性能が改善されることができる。
【００１４】
第1の態様の上記の可能な実装を参照して、第1の態様の第4の可能な実装では、指示情報は、RSSI測定時間ウィンドウに関する情報および／またはRSSI測定粒度に関する情報を含む。
【００１５】
第1の態様の上記の可能な実装を参照して、第1の態様の第5の可能な実装では、RSSI測定時間ウィンドウは、DMTCと異なり、これは、RSSI測定時間ウィンドウとDMTCが、部分的に重なるか、または全く共通集合を有さないことを含む。
【００１６】
第1の態様の上記の可能な実装を参照して、第1の態様の第6の可能な実装では、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【００１７】
第1の態様の上記の可能な実装を参照して、第1の態様の第7の可能な実装では、指示情報は、無線リソース制御RRCシグナリングで搬送される。
【００１８】
第1の態様の上記の可能な実装を参照して、第1の態様の第8の可能な実装では、指示情報は、DCIで搬送される。
【００１９】
第1の態様の上記の可能な実装を参照して、第1の態様の第9の可能な実装では、指示情報は、DCIの新たに追加されたビットで搬送される。任意選択で、指示情報は、無認可キャリアのRSSI測定の実行し、または無認可キャリアのRSSI測定結果を報告するように、端末デバイスに命令するためにさらに使用される。
【００２０】
第1の態様の上記の可能な実装を参照して、第1の態様の第10の可能な実装では、端末デバイスによって、RSSI測定結果をネットワークデバイスに送信するステップは、端末デバイスによって、認可キャリアでRSSI測定結果をネットワークデバイスに送信するステップ、または端末デバイスによって、無認可キャリアでRSSI測定結果をネットワークデバイスに送信するステップを含む。
【００２１】
第2の態様によれば、ネットワークデバイスによって指示情報を端末デバイスに送信するステップであって、指示情報が、無認可キャリアのRSSI測定を実行するために使用される時間周波数リソースを示す、ステップと、端末デバイスによって送信されるRSSI測定結果をネットワークデバイスによって受信するステップであって、RSSI測定結果が、時間周波数リソースのRSSI測定を実行することによって端末デバイスにより取得される、ステップとを含む、別の無線リソース管理測定方法が提供される。
【００２２】
第2の態様の第1の可能な実装では、無認可キャリアのRSSI測定を実行するために使用される時間周波数リソースは、発見基準信号の測定を実行するために使用される時間周波数リソースとは異なる。
【００２３】
第2の態様の上記の可能な実装を参照して、第2の態様の第2の可能な実装では、無認可キャリアのRSSI測定を実行するために使用される時間リソースは、無認可キャリアのDMTCとは異なる。
【００２４】
第2の態様の上記の可能な実装を参照して、第2の態様の第3の可能な実装では、RSSI測定結果は、時間周波数リソースで検出される、少なくとも1つのソースからの総受信電力を処理することによって端末デバイスにより取得され、少なくとも1つのソースは、端末デバイスのサービングセルによって無認可キャリアで送信される信号を含まない。
【００２５】
第2の態様の上記の可能な実装を参照して、第2の態様の第4の可能な実装では、指示情報は、端末デバイスのサービングセルによって送信される信号に依存することなく、無認可キャリアのRSSI測定を実行するように、端末デバイスにさらに命令する。
【００２６】
第2の態様の上記の可能な実装を参照して、第2の態様の第5の可能な実装では、指示情報は、RSSI測定時間ウィンドウに関する情報および／またはRSSI測定粒度に関する情報を含む。任意選択で、RSSI測定時間ウィンドウに関する情報は、RSSI測定時間ウィンドウの開始位置、RSSI測定時間ウィンドウの長さ、およびRSSI測定時間ウィンドウの分散周期を含んでもよい。
【００２７】
第2の態様の上記の可能な実装を参照して、第2の態様の第6の可能な実装では、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【００２８】
第2の態様の上記の可能な実装を参照して、第2の態様の第7の可能な実装では、ネットワークデバイスは、RSSI測定を実行するために使用される時間周波数リソースを半静的に構成する。任意選択で、指示情報は、無線リソース制御RRCシグナリングで搬送される。
【００２９】
第2の態様の上記の可能な実装を参照して、第2の態様の第8の可能な実装では、ネットワークデバイスは、RSSI測定を実行するために使用される時間周波数リソースを動的に構成し、指示情報は、DCIで搬送される。
【００３０】
第2の態様の上記の可能な実装を参照して、第2の態様の第9の可能な実装では、指示情報は、DCIの新たに追加されたビットで搬送される。
【００３１】
第2の態様の上記の可能な実装を参照して、第2の態様の第10の可能な実装では、端末デバイスによって送信されるRSSI測定結果をネットワークデバイスによって受信するステップは、端末デバイスによって認可キャリアで送信されるRSSI測定結果をネットワークデバイスによって受信するステップ、または端末デバイスによって無認可キャリアで送信されるRSSI測定結果をネットワークデバイスによって受信するステップを含む。
【００３２】
第2の態様の上記の可能な実装を参照して、第2の態様の第11の可能な実装では、この方法は、ネットワークデバイスによって、受信されたRSSI測定結果に従って端末デバイスのキャリア選択またはスケジューリングを実行するステップをさらに含む。
【００３３】
第3の態様によれば、無線リソース管理測定装置が、提供され、上記の第1の態様または第1の態様のいずれかの可能な実装の方法を実行するように構成される。具体的には、この装置は、上記の第1の態様または第1の態様のいずれかの可能な実装の方法を実行するように構成されたユニットを含む。
【００３４】
第4の態様によれば、無線リソース管理測定装置が、提供され、上記の第2の態様または第2の態様のいずれかの可能な実装の方法を実行するように構成される。具体的には、この装置は、上記の第2の態様または第2の態様のいずれかの可能な実装の方法を実行するように構成されたユニットを含む。
【００３５】
第5の態様によれば、無線リソース管理測定装置が提供され、この装置は、受信機、送信機、メモリ、プロセッサ、およびバスシステムを含む。受信機、送信機、メモリ、およびプロセッサは、バスシステムを使用して接続され、メモリは、命令を記憶するように構成され、プロセッサは、メモリに記憶された命令を実行するように構成され、それにより、信号を受信するように受信機を制御し、信号を送信するように送信機を制御する。加えて、プロセッサがメモリに記憶された命令を実行するとき、プロセッサは、第1の態様または第1の態様のいずれかの可能な実装の方法を実行する。
【００３６】
第6の態様によれば、無線リソース管理測定装置が提供され、この装置は、受信機、送信機、メモリ、プロセッサ、およびバスシステムを含む。受信機、送信機、メモリ、およびプロセッサは、バスシステムを使用して接続され、メモリは、命令を記憶するように構成され、プロセッサは、メモリに記憶された命令を実行するように構成され、それにより、信号を受信するように受信機を制御し、信号を送信するように送信機を制御する。加えて、プロセッサがメモリに記憶された命令を実行するとき、プロセッサは、第2の態様または第2の態様のいずれかの可能な実装の方法を実行する。
【００３７】
第7の態様によれば、コンピュータ読み取り可能な媒体が、提供され、コンピュータプログラムを記憶するように構成され、コンピュータプログラムは、第1の態様または第1の態様のいずれかの可能な実装の方法を実行するために使用される命令を含む。
【００３８】
第8の態様によれば、コンピュータ読み取り可能な媒体が、提供され、コンピュータプログラムを記憶するように構成され、コンピュータプログラムは、第2の態様または第2の態様のいずれかの可能な実装の方法を実行するために使用される命令を含む。
【００３９】
本発明の実施形態の技術的解決策をより明確に説明するために、以下は、本発明の実施形態または従来技術を説明するために要求される添付図面を簡単に説明する。明らかに、以下の説明の添付図面は、本発明のいくつかの実施形態を表わすに過ぎず、この技術分野の当業者は、創造的な努力なしにこれらの添付図面から他の図面を依然として導き出し得る。
【図面の簡単な説明】
【００４０】
【図１】本発明の一実施形態に適用される無線通信システムの概略図である。
【図２】本発明の一実施形態による無線リソース管理測定方法の概略フローチャートである。
【図３】本発明の一実施形態による無線リソース管理測定設定の概略図である。
【図４】本発明の一実施形態による無線リソース管理測定方法におけるRSSI測定設定の概略図である。
【図５】本発明の一実施形態による無線リソース管理測定方法におけるRSSI測定設定の別の概略図である。
【図６】本発明の一実施形態による無線リソース管理測定装置の概略ブロック図である。
【図７】本発明の一実施形態による別の無線リソース管理測定装置の概略ブロック図である。
【図８】本発明の一実施形態による別の無線リソース管理測定装置の概略ブロック図である。
【図９】本発明の一実施形態による別の無線リソース管理測定装置の概略ブロック図である。
【発明を実施するための形態】
【００４１】
以下は、本発明の実施形態の添付図面を参照して本発明の実施形態の技術的解決策を明確かつ十分に説明する。明らかに、説明されている実施形態は、本発明の実施形態のすべてではなく、その一部である。創造的な努力なしに本発明の実施形態に基づいてこの技術分野の当業者によって得られる他のすべての実施形態は、本発明の保護範囲内に入るものである。
【００４２】
本発明の実施形態の技術的解決策は、移動通信のためのグローバルシステム（Global system for mobile communications、略して「GSM（登録商標）」）システム、符号分割多元接続（Code Division Multiple Access、略して「CDMA」）システム、広帯域符号分割多元接続（Wideband Code Division Multiple Access、略して「WCDMA（登録商標）」）システム、汎用パケット無線サービス（General Packet Radio Service、略して「GPRS」）、ロング・ターム・エボリューション（Long Term Evolution、略して「LTE」）システム、LTE周波数分割複信（Frequency Division Duplex、略して「FDD」）システム、LTE時分割複信（Time Division Duplex、略して「TDD」）、ユニバーサル移動体通信システム（Universal Mobile Telecommunication System、略して「UMTS」）、ワールドワイド・インターオペラビリティ・フォー・マイクロウェーブ・アクセス（Worldwide Interoperability for Microwave Access、略して「WiMAX」）通信システム、将来の5Gシステムなどのような、LAAをサポートする様々な通信システムに適用され得る。
【００４３】
図1は、本発明の一実施形態に適用される無線通信システム100を表わす。無線通信システム100は、少なくとも1つのネットワークデバイス110を含み得る。ネットワークデバイス110は、端末デバイスと通信するデバイスであってもよい。各ネットワークデバイス110は、特定の地理的エリアの通信カバレッジを提供し得、カバレッジエリア内に位置する端末デバイス（例えば、UE）と通信し得る。ネットワークデバイス110は、GSM（登録商標）システムもしくは符号分割多元接続（Code Division Multiple Access、CDMA）システムの基地トランシーバ局（Base Transceiver Station、BTS）、またはWCDMA（登録商標）システムのノードB（NodeB、NB）、またはLTEシステムの進化型ノードB（evolved Node B、eNBもしくはeNodeB）、またはクラウド無線アクセスネットワーク（Cloud Radio Access Network、CRAN）の無線コントローラであってもよいし、あるいは、ネットワークデバイスは、中継ノード、アクセスポイント、車載デバイス、ウェアラブルデバイス、将来の5Gネットワークのネットワーク側デバイス、または将来の進化した公衆地上移動体ネットワーク（Public Land Mobile Network、PLMN）のネットワークデバイスであってもよい。
【００４４】
無線通信システム100は、ネットワークデバイス110のカバレッジエリア内に位置する複数の端末デバイス120をさらに含む。端末デバイス120は、移動式であっても固定式であってもよい。端末デバイス120は、アクセス端末、ユーザ機器（User Equipment、UE）、加入者ユニット、加入者局、移動局、遠隔局、遠隔端末、モバイルデバイス、ユーザ端末、端末、無線通信機器、ユーザエージェント、またはユーザ装置と呼ばれてもよい。アクセス端末は、携帯電話、コードレス電話、セッション開始プロトコル（Session Initiation Protocol、SIP）電話、ワイヤレス・ローカル・ループ（Wireless Local Loop、WLL）局、パーソナル・デジタル・アシスタント（Personal Digital Assistant、PDA）、ワイヤレス通信機能を有するハンドヘルドデバイス、コンピューティングデバイス、もしくはワイヤレスモデムに接続された別の処理デバイス、車載デバイス、ウェアラブルデバイス、将来の5Gネットワークの端末デバイス、将来の進化した公衆地上移動体ネットワーク（Public Land Mobile Network、PLMN）の端末デバイスなどであってもよい。
【００４５】
図1は、1つのネットワークデバイスと2つの端末デバイスの一例を表わす。任意選択で、無線通信システム100は、複数のネットワークデバイスを含んでもよく、各ネットワークデバイスのカバレッジ範囲内には、別の数量の端末デバイスが含まれてもよいが、これは、本発明のこの実施形態では限定されない。
【００４６】
任意選択で、無線通信システム100は、ネットワークコントローラまたは移動管理エンティティのような別のネットワークエンティティを含んでもよいが、本発明のこの実施形態は、これに限定されない。
【００４７】
無線通信システム100は、LAAをサポートしていてもよい。例えば、無線通信システム100は、具体的には、LAA-LTEまたは別の通信システムであるが、これは、本発明のこの実施形態では限定されない。ネットワークデバイス110および端末デバイス120が、LAA方式で通信を実行するとき、認可スペクトル（Licensed Spectrum）だけでなく、無認可スペクトル（Unlicensed Spectrum）も使用され得る。無認可スペクトルは、本来は認可スペクトルのみを使用するセルラー通信ネットワーク（例えば、LTE）に統合され、無認可スペクトルは、キャリアアグリゲーションシナリオで補助コンポーネントキャリアとして使用され得る。認可スペクトルは、認可が得られた後にのみ使用されることができるが、無認可スペクトルは、認可を要求せずに誰でも合法的に使用することができる。この場合、認可スペクトルのキャリアは、認可キャリア（Licensed Carrier）と呼ばれ、無認可スペクトルのキャリアは、無認可キャリア（Unlicensed Carrier）と呼ばれる。
【００４８】
ロング・ターム・エボリューションを使用した認可補助アクセス（Licensed Assisted Access Using Long Term Evolution、LAA-LTE）システムまたはLAAをサポートする別の通信システムでは、ネットワークデバイスは、認可スペクトルの助けを得て無認可キャリアのスケジューリングを実行し得る。LBTメカニズムが、無認可キャリアのアクセスに使用され得る。無認可キャリアを使用してデータ送信を実行する前に、ネットワークデバイスまたは端末デバイスは、無線ローカル・エリア・ネットワーク（Wireless Local Area Network、WLAN）内のノードまたはセルラーネットワーク内の、LAAを使用する別のノードと無認可キャリアのリソースを求めて競合してもよく、次に、競合によって取得したリソースを使用してデータ送信を実行する。端末デバイスまたはネットワークデバイスは、負荷ベース機器（Load Based Equipment、LBE）に基づく、またはフレームベース機器（Frame Based Equipment、FBE）に基づく方式でリソースを求めて競合してもよい。LBE方式では、チャネルを求めて競合するかどうか、およびチャネル占有期間が、データが現在送信されるべきであるかどうか、および送信されるべきデータの量に基づいて決定され、FBE方式では、フレーム構造に従って、チャネルが、競合され、特定の期間にわたって占有されるが、これは、本発明のこの実施形態では限定されない。
【００４９】
図2は、本発明の一実施形態による無線リソース管理測定方法200を表わす。無線リソース管理測定方法200は、図1に表わされた無線通信システム100に適用され得るが、これは、本発明のこの実施形態では限定されない。
【００５０】
S210：ネットワークデバイスは、端末デバイスに指示情報を送信し、指示情報は、無認可キャリアのRSSI測定を実行するために使用される時間周波数リソースを示す。
【００５１】
ネットワークデバイスは、無認可キャリアのRSSI測定を実行するために使用される時間周波数リソースを決定してもよく、指示情報を端末デバイスに送信する。任意選択で、指示情報は、DMTCを構成するために使用される指示情報とは異なってもよく、または指示情報は、DMTCを構成するために使用されるシグナリングで搬送されなくてもよい。すなわち、ネットワークデバイスは、DMTCと、RSSI測定を実行するために使用される時間周波数リソースとを別々に構成してもよく、それによって、端末デバイスによって実行される無認可キャリアのRSSI測定は、発見基準信号に依存しなくなり得る。ネットワークデバイスおよび端末デバイスは、LAAをサポートしてもよく、すなわち、端末デバイスは、無認可キャリアまたは認可キャリアを使用して、セルラーネットワーク内のネットワークデバイスと通信を実行してもよい。任意選択で、ネットワークデバイスは、認可キャリアまたは無認可キャリアで端末デバイスに指示情報を送信してもよく、これは、本発明のこの実施形態では限定されない。
【００５２】
任意選択で、指示情報は、無認可キャリアのRSSI測定設定を示してもよい。任意選択で、指示情報は、端末デバイスに無認可キャリアのRSSI測定を実行するように命令するためにさらに使用されてもよい。RSSI測定設定は、RSSI測定を実行するために使用される時間周波数リソースを含んでもよく、時間周波数リソースは、周波数リソースおよび／または時間リソースを含んでもよい。RSSI測定を実行するために使用される時間周波数リソースと、発見基準信号（Discovery Reference Signal、DRS）の測定を実行するために使用される時間周波数リソースとは別々に構成されてもよく、すなわち、2つの時間周波数リソースは同じでも、異なってもよい。任意選択の実施形態として、RSSI測定を実行するために使用される時間周波数リソースは、DRSの測定を実行するために使用される時間周波数リソースと異なってもよく、これは、具体的には、以下の場合のうちの1つであってもよい。
【００５３】
RSSI測定を実行するために使用される時間リソースが、DRSの測定を実行するために使用される時間リソースとは異なる一方で、RSSI測定を実行するために使用される周波数リソースが、DRSの測定を実行するために使用される周波数リソースと同じであり、
RSSI測定を実行するために使用される周波数リソースが、DRSの測定を実行するために使用される周波数リソースとは異なる一方で、RSSI測定を実行するために使用される時間リソースが、DRSの測定を実行するために使用される時間リソースと同じであり、または
RSSI測定を実行するために使用される時間リソースが、DRSの測定を実行するために使用される時間リソースとは異なる一方で、RSSI測定を実行するために使用される周波数リソースが、DRSの測定を実行するために使用される周波数リソースとは異なる。
【００５４】
この場合、RSSI測定は、もはや発見基準信号に依存しなくてもよい。これは、ネットワーク端末が基準信号を送信することができず、その結果、端末デバイスがRSSI測定を実行することができない場合の回避に役立つ。
【００５５】
任意選択の実施形態として、指示情報は、RSSI測定を実行するために使用される時間リソースを示してもよく、またはRSSI測定を実行するために使用される周波数リソースをさらに示してもよい。RSSI測定を実行するために使用される時間リソースと、発見信号測定タイミング設定（Discovery Signals Measurement Timing Configuration、DMTC）とは別々に構成されてもよい。RSSI測定を実行するために使用される時間リソース（例えば、RSSI測定を実行するために使用される時間ウィンドウ）は、DMTCと同じでも、DMTCとは異なってもよい。DMTCは、無認可キャリアで送信されるDRSの測定を実行するために使用される時間ウィンドウであってもよい。任意選択で、RSSI測定を実行するために使用される時間リソースは、DMTCとは異なってもよく、すなわち、RSSI測定を実行するために使用される時間リソースとDMTCは、部分的に重なっても、共通集合を有さなくてもよい。図3は、無認可キャリアのRSSI測定を実行するために使用される時間リソースA1およびA2と、無認可キャリアで送信されるDRSの測定を実行するために使用されるDMTC B1およびB2の一例を表わす。A1の部分は、B1と完全に重なっており、A2とB2は、部分的に重なっているが、これは、本発明のこの実施形態では限定されない。
【００５６】
一例として、RSSI測定を実行するために使用される時間リソースは、少なくとも1つのサブフレームを含み、または複数のシンボルを含み得る。例えば、RSSI測定を実行するために使用される時間リソースまたはRSSI測定を実行するために使用される時間ウィンドウは、N個のサブフレームまたは直交周波数分割多重（Orthogonal Frequency Division Multiplexing、OFDM）シンボルを含んでもよく、N＞1である。N個のサブフレーム（OFDMシンボル）は、DMTCに属さない少なくとも1つのサブフレーム（またはOFDMシンボル）を含んでもよいが、これは、本発明のこの実施形態では限定されない。
【００５７】
S220：端末デバイスは、ネットワークデバイスによって送信された指示情報を受信し、指示情報によって示される時間周波数リソースで、無認可キャリアのRSSI測定を実行して、RSSI測定結果を取得する。
【００５８】
端末デバイスは、RSSI測定を実行するために使用される時間周波数リソースのN個のリソースブロックの測定を実行し得る。具体的には、端末デバイスは、測定サブフレーム内のいくつかまたはすべてのOFDMシンボルの測定帯域のN個のリソースブロックの測定を実行し、N個のリソースブロックで観察された、すべてのソースからの総受信電力の算術平均または加重平均を実行してもよく、それによって、RSSI測定結果を取得する。すべてのリソースは、同一チャネル（co-channel）のサービングセルおよび非サービングセル、隣接チャネル干渉、熱雑音などを含み得るが、本発明のこの実施形態は、これらに限定されない。
【００５９】
S230：端末デバイスは、RSSI測定結果をネットワークデバイスに送信する。
【００６０】
毎回、1つのRSSI測定結果を取得するとき、端末デバイスは、取得されたRSSI測定結果をネットワークデバイスに送信してもよい。その代わりに、所定数量の複数のRSSI測定結果を取得した後に、端末デバイスは、複数のRSSI測定結果をネットワークデバイスに送信し、または複数のRSSI測定結果を処理して、処理されたRSSI測定結果をネットワークデバイスに送信してもよく、これは、本発明のこの実施形態では限定されない。
【００６１】
ネットワークデバイスは、端末デバイスによって送信されたRSSI測定結果を受信し、RSSI測定結果に従って端末デバイスの周囲のキャリアの干渉および負荷の状況を決定し、測定結果に基づいて端末デバイスの管理およびスケジューリングを行ってもよい。例えば、ネットワークデバイスは、RSSI測定結果に従って端末デバイスのキャリア選択またはスケジューリングを実行してもよいが、これは、本発明のこの実施形態では限定されない。
【００６２】
このようにして、端末デバイスによって無認可キャリアのRSSI測定を実行するために使用される時間リソースは、DMTCと完全に同じではないように構成され、それによって、RSSI測定設定は、DMTCとは独立であり得る。端末デバイスによって実行される無認可キャリアのRSSI測定は、DRSに依存する必要はない。これは、ネットワークデバイスが無認可キャリアでDRSを送信することができず、その結果、端末デバイスが無認可キャリアの測定を行うことができないという課題を回避することができ、端末デバイスが無認可キャリアのRSSI測定を実行することができる確率を改善することができ、それによって、基地局は、端末デバイスの周囲のキャリアの干渉および負荷の状況を適時に取得することができる。
【００６３】
したがって、本発明のこの実施形態で提供される無線リソース管理測定方法によれば、ネットワークデバイスは、無認可キャリアのRSSI測定を実行するために使用される時間周波数リソースと、無認可キャリアで送信されるDRSの測定を実行するために使用される時間周波数リソースとを別々に構成し、無認可キャリアのRSSI測定を実行するために使用される時間周波数リソースを示す指示情報を端末デバイスに送信し、これによって、端末デバイスは、指示情報によって示される時間周波数リソースで、無認可キャリアのRSSI測定を実行してRSSI測定結果を取得し、このRSSI測定結果をネットワークデバイスに送信する。これは、ネットワークデバイスが無認可キャリアで基準信号を送信することができず、その結果、端末デバイスがRRM測定結果をフィードバックすることができないという従来技術の課題の解決に役立つ。加えて、ネットワークデバイスは、端末デバイスによって報告されたRSSI測定結果に従って、端末デバイスのキャリア選択またはスケジューリングを実行し得る。これは、ネットワークデバイスのスケジューリング性能およびシステム全体の性能の改善に役立つ。
【００６４】
本発明のこの実施形態では、端末デバイスは、構成された時間周波数リソースのRSSI測定を実行し得る。この場合、ネットワークデバイスは、競合によって無認可キャリアの送信リソースを取得し、端末デバイスのサービングセルを使用して時間周波数リソースでダウンリンク信号またはデータパケットを送信することがあり得る。ネットワークデバイスのカバレッジエリアは、サービングセルを含む複数のセクタに区分される。したがって、端末デバイスによって取得される時間周波数リソースのRSSI測定結果は、端末デバイスのサービングセルの寄与を含む。その代わりに、ネットワークデバイスは、競合によって無認可キャリアの送信リソースを取得することができず、端末デバイスのサービングセルを使用して時間周波数リソースでダウンリンク信号またはデータパケットを送信することができないことがあり得る。したがって、端末デバイスによって取得される時間周波数リソースのRSSI測定結果は、端末デバイスのサービングセルの寄与を含まない。このようにして、ネットワークデバイスがサービングセルを使用して無認可キャリアで信号を送信するかどうかにかかわらず、端末デバイスは、無認可キャリアのRSSI測定結果を常に取得して報告することができ、それによって、ネットワークデバイスは、RSSI測定結果に基づいて、端末デバイスに関連する現在の情報を知り、管理およびスケジューリングを実行することができ、それによって、ネットワークデバイスの管理およびスケジューリング性能を改善し、システム全体の性能を改善する。
【００６５】
任意選択の実施形態として、S220において時間周波数リソースで無認可キャリアのRSSI測定を実行してRSSI測定結果を取得することは、
時間周波数リソースで検出される、少なくとも1つのソースからの総受信電力を決定することであって、少なくとも1つのソースが、端末デバイスのサービングセルによって無認可キャリアで送信される信号を含まない、前記決定すること、および
総受信電力を処理してRSSI測定結果を取得すること
を含む。
【００６６】
この場合、RSSI測定結果は、時間周波数リソースで検出される、少なくとも1つのソースからの総受信電力を処理することによって端末デバイスにより取得され、少なくとも1つのソースは、端末デバイスのサービングセルによって無認可キャリアで送信される信号を含まない。すなわち、端末デバイスは、端末デバイスのサービングセルによって送信される信号に依存することなく、無認可キャリアのRSSI測定を実行し得る。
【００６７】
本発明のこの実施形態では、ネットワークデバイスは、無認可キャリアのRSSI測定を実行するために使用される時間周波数リソースを様々な方式で示し得る。任意選択の実施形態として、指示情報は、RSSI測定時間ウィンドウに関する情報および／またはRSSI測定粒度に関する情報を含んでもよい。
【００６８】
RSSI測定時間ウィンドウは、RSSI測定を実行するために使用される時間リソースウィンドウを表現し、RSSI測定時間ウィンドウ内の時間リソースのいくつかまたはすべてが、RSSI測定を実行するために使用されてもよい。任意選択で、RSSI測定時間ウィンドウとDMTCとは別々に構成されてもよい。例えば、RSSI測定時間ウィンドウは、DMTCとは異なってもよく、すなわち、RSSI測定時間ウィンドウとDMTCは、部分的に重なっても、全く共通集合を有さなくてもよく、またはRSSI測定時間ウィンドウは、DMTCの部分であってもよく、またはDMTCは、RSSI測定時間ウィンドウの部分であってもよいが、これは、本発明のこの実施形態では限定されない。任意選択で、RSSI測定時間ウィンドウは周期的に分散されてもよい。この場合、指示情報は、具体的には、RSSI測定時間ウィンドウの開始時間（例えば、開始サブフレームまたは開始シンボル）、長さ、および分散周期に関する情報を含んでもよい。したがって、端末デバイスは、上記のパラメータに従ってRSSI測定時間ウィンドウを決定し得る。
【００６９】
ネットワークデバイスは、無認可キャリアのRSSI測定時間ウィンドウを構成し、それによって、端末デバイスは、ネットワークデバイスによって構成されたRSSI測定時間ウィンドウ内でのみRSSI測定を実行し、RSSI測定を継続的に実行する必要がなく、それにより、端末デバイスの電力消費を低減する。
【００７０】
RSSI測定粒度は、RSSIを取得するための最小時間リソース単位を表現することが可能であり、すなわち、端末デバイスは、長さがRSSI測定粒度である、RSSI測定時間ウィンドウ内の時間リソースの複数のリソースブロックの測定を実行し、複数のリソースブロックで検出された総受信電力の算術平均または加重平均を実行して、RSSIを取得し得る。ネットワークデバイスは、異なる要求に従って異なるRSSI測定粒度を設定し得る。ネットワークデバイスは、異なる無認可キャリアに対して異なるRSSI測定粒度を設定し、または異なる端末デバイスに対して異なるRSSI測定粒度を設定してもよく、これは、本発明のこの実施形態では限定されない。例えば、無認可キャリアのRSSI測定粒度は、1シンボルの長さまたは数シンボルの長さに設定されてもよい。図4に表わされたように、無認可キャリアのRSSI測定粒度は、1ms、4ms、または6msに設定されてもよく、またはネットワークデバイスは、RSSI測定粒度を10msまたは13msのような別の値に設定してもよく、これは、本発明のこの実施形態では限定されない。任意選択で、ネットワークデバイスは、LAAの異なる送信期間に従って異なるRSSI測定粒度を設定してもよく、それによって、RSSI測定粒度が送信期間に関連し、端末デバイスのRSSI測定結果が無認可キャリアの負荷および干渉の状況をより良く反映または提示することができるが、これは、本発明のこの実施形態では限定されない。
【００７１】
加えて、任意選択で、RSSI測定時間ウィンドウの長さは、RSSI測定粒度の整数倍であってもよく、このようにして、端末デバイスは、1つのRSSI測定時間ウィンドウ内で少なくとも1つのRSSIを取得することができる。図4に表わされたように、無認可キャリアのRSSI測定時間ウィンドウの長さは、24msである。ネットワークデバイスは、RSSI測定粒度を4msとして構成してもよい。この場合、RSSI測定を実行するためにRSSI測定時間ウィンドウ内のすべての時間リソースが使用されることができるならば、端末デバイスは、RSSI測定時間ウィンドウから6つのRSSIを取得し、ネットワークデバイスに6つのRSSIを別々にまたはまとめて報告してもよく、あるいは、端末デバイスは、6つのRSSIを処理して、例えば、算術平均または加重平均を実行して、処理結果を取得し、処理結果をネットワークデバイスに報告してもよいが、これは、本発明のこの実施形態では限定されない。
【００７２】
図4に表わされた例では、RSSI測定を実行するために、RSSI測定時間ウィンドウ内のすべての時間リソースが使用されてもよい。その代わりに、RSSI測定を実行するために、RSSI測定時間ウィンドウ内のいくつかの時間リソースのみが使用されてもよい。端末デバイスは、予め設定された規則または設定に従って、RSSI測定時間ウィンドウ内でRSSI測定を実行するために使用されることができる時間リソースを決定してもよい。その代わりに、指示情報が、RSSI測定時間ウィンドウ内でRSSI測定を実行するために使用される時間リソースを示すためにさらに使用されてもよい。したがって、端末デバイスは、指示情報に従って、RSSI測定を実行するための、RSSI測定時間ウィンドウ内の時間リソースの特定の部分を決定してもよいが、これは、本発明のこの実施形態では限定されない。
【００７３】
別の任意選択の実施形態として、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【００７４】
端末デバイスは、RSSI有効測定ウィンドウに関する情報に従って、RSSI測定ウィンドウ内でRSSI測定を実行するために使用される時間リソースを決定してもよい。任意選択で、RSSI有効測定ウィンドウに関する情報は、RSSI測定の長さに関する情報を含んでもよく、RSSI測定の長さは、RSSI測定ウィンドウ内でRSSI測定を実行するために使用される時間リソースの長さを表現してもよい。この場合、RSSI測定時間ウィンドウ内のRSSI有効測定ウィンドウの位置は、予め規定または予め構成されてもよい。その代わりに、RSSI有効測定ウィンドウに関する情報は、RSSI測定ウィンドウ内のRSSI有効測定ウィンドウの位置に関する情報をさらに含んでもよいが、これは、本発明のこの実施形態では限定されない。その代わりに、RSSI測定の長さは、長さがRSSI測定粒度である時間リソース内の、RSSI測定を実行するために使用される時間リソースの長さを表現してもよい。例えば、RSSI測定の長さは、具体的には、長さがRSSI測定粒度であるN個のシンボル内の、RSSI測定を実行するために使用される数量M個の連続するシンボルであってもよく、1＜M＜Nである。図5に表わされたように、長さがRSSI測定粒度である時間リソースにおいて、長さがRSSI測定粒度である、時間リソースの前の部分のみが、RSSI測定を実行するために使用されてもよいし、あるいは、長さがRSSI測定の長さである、時間リソースの後の部分または中間部分などのみが、RSSI測定を実行するために使用されてよく、これは、本発明のこの実施形態では限定されない。
【００７５】
本発明のこの実施形態では、ネットワークデバイスは、無認可キャリアのRSSI測定を実行するために使用される時間周波数リソースを半静的に構成してもよい。例えば、S210において、ネットワークデバイスは、無線リソース制御（Radio Resource Control、RRC）シグナリングを端末デバイスに送信してもよく、RRCシグナリングは、指示情報を搬送する。この場合、任意選択で、指示情報は、具体的には、無認可キャリアのRSSI測定設定を示すために使用されてもよい。RSSI測定設定に含まれ、RSSI測定を実行するために使用される時間周波数リソースは、比較的長い時間周期で分散されてもよい。例えば、RSSI測定設定におけるRSSI測定時間ウィンドウは、周期的に分散されてもよい。指示情報を受信した後、端末デバイスは、指示情報またはRSSI測定設定を記憶してもよく、それによって、比較的長いその後の時間周期にそのRSSI測定設定に従って無認可キャリアのRSSI測定を実行する。例えば、無認可キャリアの更新されたRSSI測定設定を示すために使用される指示情報を受信する前、端末デバイスは、RSSI測定を実行するために現在のRSSI測定設定を常に使用してもよいが、これは、本発明のこの実施形態では限定されない。
【００７６】
任意選択で、RSSI測定結果を取得した後、端末デバイスは、RSSI測定結果をネットワークデバイスに周期的に報告してもよい。報告周期は、RSSI測定粒度であってもよく、すなわち、毎回、RSSI測定粒度からRSSIを取得するときに、端末デバイスは、取得されたRSSIをネットワークデバイスに報告し、あるいは、報告周期は、複数のRSSI測定粒度またはRSSI測定時間ウィンドウの長さであってもよく、これは、本発明のこの実施形態では限定されない。
【００７７】
別の任意選択の実施形態として、指示情報は、端末デバイスがRSSI測定結果を報告する方式を示すためにさらに使用されてもよい。例えば、指示情報は、端末デバイスがRSSI測定結果を周期的に報告することを示すためにさらに使用されてもよい。例えば、指示情報は、報告周期に関する情報を含み、または、指示情報は、RSSI測定結果を報告するために端末デバイスによって使用されるキャリアのタイプを示すために使用されてもよい。例えば、指示情報は、端末デバイスがRSSI測定結果を報告するために認可キャリアまたは無認可キャリアを使用することを示すためにさらに使用されてもよいが、これは、本発明のこの実施形態では限定されない。
【００７８】
別の任意選択の実施形態として、ネットワークデバイスは、無認可キャリアのRSSI測定を実行するために使用される時間周波数リソースを動的に構成してもよい。例えば、S210において、ネットワークデバイスは、具体的には、ダウンリンク制御情報（Downlink Control Information、DCI）を端末デバイスに送信してもよく、DCIは、指示情報を搬送する。この場合、指示情報は、端末デバイスが無認可キャリアのRSSI測定を実行することを示すために使用されてもよく、このRSSI測定を実行するために使用される時間周波数リソースを示してもよく、すなわち、RSSI測定を実行するために使用される上記の時間周波数リソースは、具体的には、このRSSI測定を実行するために使用される時間周波数リソースであってもよいが、これは、本発明のこの実施形態では限定されない。DCIを受信した後、端末デバイスは、指示情報に従ってRSSI測定を実行し、このRSSI測定のRSSI測定結果を取得した後、RSSI測定結果をネットワークデバイスに報告してもよいが、これは、本発明のこの実施形態では限定されない。
【００７９】
ネットワークデバイスは、様々な方式でDCIに指示情報を含め、例えば、指示情報を搬送するためにDCIの予約ビットを使用してもよい。その代わりに、ネットワークデバイスは、DCIに1つ以上のビットを追加し、指示情報を搬送するためにDCIの少なくとも1つの新たに追加されたビットを使用してもよいが、これは、本発明のこの実施形態では限定されない。
【００８０】
別の任意選択の実施形態として、S230において、端末デバイスは、認可キャリアでRSSI測定結果をネットワークデバイスに送信し、またはその無認可キャリアまたは別の無認可キャリアでRSSI測定結果をネットワークデバイスに送信してもよく、これは、本発明のこの実施形態では限定されない。
【００８１】
端末デバイスによって送信されたRSSI測定結果を受信した後、ネットワークデバイスは、RSSI測定結果に従って、端末デバイスの周囲のキャリアの負荷および干渉の状況を決定し、隠れたノードを特定し、端末デバイスのスケジューリングまたはキャリア選択を実行するなどしてもよく、それによって、システム全体の性能を改善する。
【００８２】
上記の処理の順序番号は実行順序を意味しないことが理解されるべきである。処理の実行順序は、処理の機能および内部論理に従って決定されるべきであり、本発明の実施形態の実装処理への制限を構成するものではない。
【００８３】
上記は、図1から図5を参照して、本発明の実施形態による無線リソース管理測定方法を詳細に説明し、以下は、図6から図9を参照して、本発明の実施形態による無線リソース管理測定装置を詳細に説明する。
【００８４】
図6は、本発明の一実施形態による無線リソース管理測定装置300を表わし、装置300は、
ネットワークデバイスによって送信された指示情報を受信するように構成された受信ユニット310であって、指示情報が、無認可キャリアのRSSI測定を実行するために使用される時間周波数リソースを示し、および／または、指示情報が、サービングセルによって送信される信号に依存することなく無認可キャリアのRSSI測定を実行するように端末デバイスに命令する、受信ユニット310と、
受信ユニット310によって受信される指示情報によって示される時間周波数リソースで無認可キャリアのRSSI測定を実行してRSSI測定結果を取得するように構成された測定ユニット320と、
測定ユニット320によって取得されるRSSI測定結果をネットワークデバイスに送信するように構成された送信ユニット330と
を含む。
【００８５】
任意選択で、無認可キャリアのRSSI測定を実行するために使用される時間リソースは、無認可キャリアのDMTCとは異なる。
【００８６】
任意選択で、測定ユニット320は、具体的には、時間周波数リソースで検出される、少なくとも1つのソースからの総受信電力を決定することであって、少なくとも1つのソースが、端末デバイスのサービングセルによって無認可キャリアで送信される信号を含まない、前記決定することと、総受信電力を処理してRSSI測定結果を取得することとを行うように構成される。
【００８７】
任意選択で、指示情報は、RSSI測定時間ウィンドウに関する情報および／またはRSSI測定粒度に関する情報を含む。
【００８８】
任意選択で、RSSI測定時間ウィンドウは、DMTCとは異なる。
【００８９】
任意選択で、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【００９０】
任意選択で、指示情報は、無線リソース制御シグナリングで搬送される。
【００９１】
任意選択で、指示情報は、DCIで搬送され、任意選択で、指示情報は、DCIの新たに追加されたビットで搬送されてもよい。
【００９２】
任意選択で、送信ユニット330は、具体的には、認可キャリアでRSSI測定結果をネットワークデバイスに送信し、または無認可キャリアでRSSI測定結果をネットワークデバイスに送信するように構成される。
【００９３】
ここでの装置300は、機能ユニットの形式で提示されることが留意されるべきである。ここでの用語「ユニット」は、特定用途向け集積回路（Application Specific Integrated Circuit、ASIC）、電子回路、1つ以上のソフトウェアまたはファームウェアプログラムを実行するために使用されるプロセッサ（例えば、共有プロセッサ、専用プロセッサ、もしくはグループプロセッサ）およびメモリ、複合論理回路、ならびに／または、説明されている機能をサポートする別の適切なコンポーネントを示し得る。任意選択の例において、この技術分野の当業者は、装置300が具体的には上記の実施形態の端末デバイスであってもよいこと、および装置300が、上記の方法の実施形態における端末デバイスに対応する手順および／またはステップを実行するように構成されてもよいことを理解し得る。繰り返しを避けるために、詳細はここで再度説明されない。
【００９４】
図7は、本発明の一実施形態による無線リソース管理測定装置400を表わす。装置400は、
指示情報を端末デバイスに送信するように構成された送信ユニット410であって、指示情報が、無認可キャリアのRSSI測定を実行するために使用される時間周波数リソースを示し、および／または、指示情報が、サービングセルによって送信される信号に依存することなく無認可キャリアのRSSI測定を実行するように端末デバイスに命令する、送信ユニット410と、
端末デバイスによって送信されるRSSI測定結果を受信するように構成された受信ユニット420であって、RSSI測定結果が、送信ユニット410によって送信される指示情報によって示される時間周波数リソースのRSSI測定を実行することによって端末デバイスにより取得される、受信ユニット420と
を含む。
【００９５】
任意選択で、無認可キャリアのRSSI測定を実行するために使用される時間リソースは、無認可キャリアのDMTCとは異なる。
【００９６】
任意選択で、RSSI測定結果は、時間周波数リソースで検出される、少なくとも1つのソースからの総受信電力を処理することによって端末デバイスにより取得され、少なくとも1つのソースは、端末デバイスのサービングセルによって無認可キャリアで送信される信号を含まない。
【００９７】
任意選択で、指示情報は、RSSI測定時間ウィンドウに関する情報および／またはRSSI測定粒度に関する情報を含む。任意選択で、RSSI測定時間ウィンドウは、DMTCとは異なってもよい。
【００９８】
任意選択で、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【００９９】
任意選択で、指示情報は、無線リソース制御シグナリングで搬送される。
【０１００】
任意選択で、指示情報は、DCIの新たに追加されたビットで搬送される。
【０１０１】
任意選択で、受信ユニット420は、具体的には、端末デバイスにより指示情報に従って認可キャリアで送信されたRSSI測定結果を受信し、または端末デバイスにより指示情報に従って無認可キャリアで送信されたRSSI測定結果を受信するように構成される。
【０１０２】
ここでの装置400は、機能ユニットの形式で提示されることが留意されるべきである。ここでの用語「ユニット」は、特定用途向け集積回路（Application Specific Integrated Circuit、ASIC）、電子回路、1つ以上のソフトウェアまたはファームウェアプログラムを実行するために使用されるプロセッサ（例えば、共有プロセッサ、専用プロセッサ、もしくはグループプロセッサ）およびメモリ、複合論理回路、ならびに／または、説明されている機能をサポートする別の適切なコンポーネントを示し得る。任意選択の例において、この技術分野の当業者は、装置400が具体的には上記の実施形態のネットワークデバイスであってもよいこと、および装置400が、上記の方法の実施形態におけるネットワークデバイスに対応する手順および／またはステップを実行するように構成されてもよいことを理解し得る。繰り返しを避けるために、詳細はここで再度説明されない。
【０１０３】
図8は、本発明の一実施形態による無線リソース管理測定装置500を表わす。装置500は、受信機510、プロセッサ520、送信機530、メモリ540、およびバスシステム550を含む。受信機510、プロセッサ520、送信機530、およびメモリ540は、バスシステム550を使用して接続され、メモリ540は、命令を記憶するように構成され、プロセッサ520は、メモリ540に記憶された命令を実行するように構成され、それによって、信号を受信するよう受信機510を制御し、命令を送信するよう送信機530を制御する。
【０１０４】
受信機510は、ネットワークデバイスによって送信された指示情報を受信するように構成され、指示情報は、無認可キャリアのRSSI測定を実行するために使用される時間周波数リソースを示し、および／または、指示情報は、サービングセルによって送信される信号に依存することなく無認可キャリアのRSSI測定を実行するように端末デバイスに命令する。
【０１０５】
プロセッサ520は、受信機510によって受信される指示情報によって示される時間周波数リソースで無認可キャリアのRSSI測定を実行してRSSI測定結果を取得するように構成される。
【０１０６】
送信機530は、プロセッサ520によって取得されるRSSI測定結果をネットワークデバイスに送信するように構成される。
【０１０７】
任意選択で、無認可キャリアのRSSI測定を実行するために使用される時間リソースは、無認可キャリアのDMTCとは異なる。
【０１０８】
任意選択で、プロセッサ520は、具体的には、時間周波数リソースで検出される、少なくとも1つのソースからの総受信電力を決定することであって、少なくとも1つのソースが、端末デバイスのサービングセルによって無認可キャリアで送信される信号を含まない、前記決定することと、総受信電力を処理してRSSI測定結果を取得することとを行うように構成される。
【０１０９】
任意選択で、指示情報は、RSSI測定時間ウィンドウに関する情報および／またはRSSI測定粒度に関する情報を含む。
【０１１０】
任意選択で、RSSI測定時間ウィンドウは、DMTCとは異なる。
【０１１１】
任意選択で、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【０１１２】
任意選択で、指示情報は、無線リソース制御シグナリングで搬送される。
【０１１３】
任意選択で、指示情報は、DCIで搬送され、任意選択で、指示情報は、DCIの新たに追加されたビットで搬送されてもよい。
【０１１４】
任意選択で、送信機530は、具体的には、認可キャリアでRSSI測定結果をネットワークデバイスに送信し、または無認可キャリアでRSSI測定結果をネットワークデバイスに送信するように構成される。
【０１１５】
装置500が、具体的には上記の実施形態の端末デバイスであってもよく、上記の方法の実施形態における端末デバイスに対応するステップおよび／または手順を実行するように構成されてもよいことが留意されるべきである。任意選択で、メモリ540は、リード・オンリ・メモリおよびランダム・アクセス・メモリを含み、プロセッサに命令およびデータを提供してもよい。メモリの一部は、不揮発性ランダム・アクセス・メモリをさらに含んでもよい。例えば、メモリは、デバイスのタイプに関する情報をさらに記憶してもよい。プロセッサ520は、メモリに記憶された命令を実行するように構成されてもよく、プロセッサが命令を実行するとき、プロセッサは、上記の方法の実施形態における端末デバイスに対応するステップを実行してもよい。
【０１１６】
図9は、本発明の一実施形態による無線リソース管理測定装置600を表わす。装置600は、送信機610、受信機620、プロセッサ630、メモリ640、およびバスシステム650を含む。送信機610、受信機620、プロセッサ630、およびメモリ640は、バスシステム650を使用して接続され、メモリ640は、命令を記憶するように構成され、プロセッサ630は、メモリ640に記憶された命令を実行するように構成され、それによって、信号を送信するよう送信機610を制御し、信号を受信するよう受信機620を制御する。
【０１１７】
送信機610は、指示情報を端末デバイスに送信するように構成され、指示情報は、無認可キャリアのRSSI測定を実行するために使用される時間周波数リソースを示し、および／または、指示情報は、サービングセルによって送信される信号に依存することなく無認可キャリアのRSSI測定を実行するように端末デバイスに命令する。
【０１１８】
受信機620は、端末デバイスによって送信されるRSSI測定結果を受信するように構成され、RSSI測定結果は、送信機610によって送信される指示情報によって示される時間周波数リソースのRSSI測定を実行することによって端末デバイスにより取得される。
【０１１９】
任意選択で、無認可キャリアのRSSI測定を実行するために使用される時間リソースは、無認可キャリアのDMTCとは異なる。
【０１２０】
任意選択で、RSSI測定結果は、時間周波数リソースで検出される、少なくとも1つのソースからの総受信電力を処理することによって端末デバイスにより取得され、少なくとも1つのソースは、端末デバイスのサービングセルによって無認可キャリアで送信される信号を含まない。
【０１２１】
任意選択で、指示情報は、RSSI測定時間ウィンドウに関する情報および／またはRSSI測定粒度に関する情報を含む。任意選択で、RSSI測定時間ウィンドウは、DMTCとは異なってもよい。
【０１２２】
任意選択で、指示情報は、RSSI有効測定ウィンドウに関する情報をさらに含み、RSSI有効測定ウィンドウは、RSSI測定ウィンドウ内でRSSI測定を実行するために使用される時間リソースを表現する。
【０１２３】
任意選択で、指示情報は、無線リソース制御シグナリングで搬送される。
【０１２４】
任意選択で、指示情報は、DCIの新たに追加されたビットで搬送される。
【０１２５】
任意選択で、受信機620は、具体的には、端末デバイスにより指示情報に従って認可キャリアで送信されたRSSI測定結果を受信し、または端末デバイスにより指示情報に従って無認可キャリアで送信されたRSSI測定結果を受信するように構成される。
【０１２６】
装置600が、具体的には上記の実施形態のネットワークデバイスであってもよく、上記の方法の実施形態におけるネットワークデバイスに対応するステップおよび／または手順を実行するように構成されてもよいことが留意されるべきである。任意選択で、メモリ640は、リード・オンリ・メモリおよびランダム・アクセス・メモリを含み、プロセッサに命令およびデータを提供してもよい。メモリの一部は、不揮発性ランダム・アクセス・メモリをさらに含んでもよい。例えば、メモリは、デバイスのタイプに関する情報をさらに記憶してもよい。プロセッサ630は、メモリに記憶された命令を実行するように構成されてもよく、プロセッサがメモリに記憶された命令を実行するときに、プロセッサは、上記の方法の実施形態のステップおよび／または手順を実行するように構成される。
【０１２７】
本発明の実施形態では、プロセッサは、中央処理ユニット（Central Processing Unit、CPU）であってもよく、または、プロセッサは、別の汎用プロセッサ、デジタル信号プロセッサ（digital signal processor、DSP）、特定用途向け集積回路（application-specific integrated circuit、ASIC）、フィールド・プログラマブル・ゲート・アレイ（field programmable gate array、FPGA）、または別のプログラマブル論理デバイス、ディスクリートゲートもしくはトランジスタ論理デバイス、ディスクリート・ハードウェア・コンポーネントなどであってもよいことが理解されるべきである。汎用プロセッサは、マイクロプロセッサであってもよく、または、プロセッサは、任意の通常のプロセッサなどであってもよい。
【０１２８】
実装処理において、上記の方法のステップは、プロセッサ内のハードウェア集積論理回路を使用して、またはソフトウェアの形式の命令を使用して実現されることができる。本発明の実施形態を参照して開示された方法のステップは、ハードウェアプロセッサによって直接実行されてもよく、またはプロセッサ内のハードウェアとソフトウェアモジュールの組み合わせを使用して実行されてもよい。ソフトウェアモジュールは、ランダム・アクセス・メモリ、フラッシュメモリ、リード・オンリ・メモリ、プログラマブル・リード・オンリ・メモリ、電気的消去可能プログラマブルメモリ、レジスタなどのような、この技術分野の成熟した記憶媒体に配置されてもよい。記憶媒体は、メモリ内に配置され、プロセッサは、メモリ内の命令を読み出し、プロセッサのハードウェアと協働して上記の方法のステップを完了する。繰り返しを避けるために、詳細はここで再度説明されない。
【０１２９】
この技術分野の当業者は、この明細書に開示されている実施形態で説明した例との組み合わせにおいて、方法のステップおよびユニットが、電子的ハードウェア、コンピュータソフトウェア、またはこれらの組み合わせによって実現され得ることを認識し得る。ハードウェアとソフトウェアの交換可能性を明確に説明するために、上記は、機能に応じて各実施形態のステップおよび構成を一般的に説明した。機能がハードウェアとソフトウェアのどちらによって実行されるかは、技術的解決策の特定の用途および設計制約条件に依存する。この技術分野の当業者は、特定の用途ごとに、説明された機能を実現するために異なる方法を使用し得るが、その実装は本発明の範囲を超えると考えられるべきではない。
【０１３０】
簡便かつ簡単な説明の目的のために、上記のシステム、装置、およびユニットの詳細な動作処理について、上記の方法の実施形態における対応する処理への参照が行われることが可能であり、詳細はここで再度説明されないことが、この技術分野の当業者によって明確に理解され得る。
【０１３１】
この出願で提供されるいくつかの実施形態において、開示されたシステム、装置、および方法が、他の方式で実現され得ることが理解されるべきである。例えば、説明された装置の実施形態は、一例に過ぎない。例えば、ユニットの区分は、論理的な機能の区分に過ぎず、実際の実装では他の区分であってもよい。例えば、複数のユニットまたはコンポーネントは、別のシステムに組み合わされ、もしくは統合されてもよく、または、いくつかの特徴は、無視されるか、もしくは実行されなくてもよい。さらに、表示され、または述べられた相互結合または直接結合または通信接続は、いくつかのインタフェース、装置もしくはユニット間の間接結合もしくは通信接続、または電気的接続、機械的接続、もしくは他の形式の接続によって実現されてもよい。
【０１３２】
別々の部分として説明されているユニットは、物理的に別々であってもなくてもよく、ユニットとして表示されている部分は、物理的なユニットであってもなくてもよく、1つの位置に配置されてもよく、または複数のネットワークユニットに分散されてもよい。ユニットの一部または全部は、本発明の実施形態の解決策の目的を達成するために実際の必要性に応じて選択され得る。
【０１３３】
加えて、本発明の実施形態における機能ユニットは、1つの処理ユニットに統合されてもよく、またはユニットのそれぞれは、物理的に単独で存在してもよく、または2つ以上のユニットが、1つのユニットに統合される。統合されたユニットは、ハードウェアの形式で実現されてもよく、またはソフトウェア機能ユニットの形式で実現されてもよい。
【０１３４】
統合されたユニットが、ソフトウェア機能ユニットの形式で実現され、独立した製品として販売または使用されるとき、統合されたユニットは、コンピュータ読み取り可能な記憶媒体に記憶されてもよい。そのような理解に基づいて、本質的に、本発明の技術的解決策、または従来技術に寄与する部分、または技術的解決策の全部もしくは一部は、ソフトウェア製品の形式で実現されてもよい。ソフトウェア製品は、記憶媒体に記憶され、コンピュータデバイス（パーソナルコンピュータ、サーバ、またはネットワークデバイスであり得る）に、本発明の実施形態で説明された方法のステップの全部または一部を実行するよう命令するためのいくつかの命令を含む。上記の記憶媒体は、USBフラッシュドライブ、リムーバブル・ハード・ディスク、リード・オンリ・メモリ（Read-Only Memory、略してROM）、ランダム・アクセス・メモリ（Random Access Memory、略してRAM）、磁気ディスク、または光ディスクのような、プログラムコードを記憶することができる任意の媒体（を含む。
【０１３５】
上記の説明は、本発明の特定の実施形態に過ぎず、本発明の保護範囲を限定することは意図されない。本発明で開示された技術的範囲内でこの技術分野の当業者によって容易に考え出されるどのような修正または置換も、本発明の保護範囲内に入るものである。したがって、本発明の保護範囲は、特許請求の範囲の保護範囲に従うものである。
【符号の説明】
【０１３６】
100  無線通信システム
110  ネットワークデバイス
120  端末デバイス
200  無線リソース管理測定方法
300  無線リソース管理測定装置
310  受信ユニット
320  測定ユニット
330  送信ユニット
400  無線リソース管理測定装置
410  送信ユニット
420  受信ユニット
500  無線リソース管理測定装置
510  受信機
520  プロセッサ
530  送信機
540  メモリ
550  バスシステム
600  無線リソース管理測定装置
610  送信機
620  受信機
630  プロセッサ
640  メモリ
650  バスシステム
【図１】
0006505940.tif 000002
【図２】
0006505940.tif 000003
【図３】
0006505940.tif 000004
【図４】
0006505940.tif 000005
【図５】
0006505940.tif 000006
【図６】
0006505940.tif 000007
【図７】
0006505940.tif 000008
【図８】
0006505940.tif 000009
【図９】
0006505940.tif 000010